(57)【要約】      （修正有）【課題】本発明は、幅広の装飾用粘着テープと、幅狭の透明又は無地の粘着テープを、粘着面同士貼り付けて、粘着テープののり面の幅の下半分以上ののり面を機能しなくして、粘着テープの裏面ののり面における残った一部ののり面を有する粘着テープとし、付箋等に用いることができる粘着テープカッター装置を提供する。【解決手段】粘着テープカッター装置において、押圧ローラを先端部に有し、後端部に凸部を有する開閉連動板３−１、３−２を、二本の円筒１０に回動自在に組み込み、裏面に糊のついた幅広のテープと裏面に糊のついた幅狭のテープを引き出して溝に誘導したのち、筐体１の蓋２を閉め、筐体の蓋を閉めた際に開閉連動板後端部凸部３−３、３−４が筐体内に押し込まれることにより、二枚の開閉連動板が回動し、先端部の押圧ローラが、裏面に糊のついた幅広のテープと裏面に糊のついた幅狭のテープを押圧して前記のり面同士を接着させるようにした。【選択図】図３
2018118816.tif 000002
【特許請求の範囲】
【請求項１】
蓋体を有する筐体と二つの粘着テープ巻をそれぞれ装着できる二つの円筒体と、円筒体に回動自在に組み込まれた開閉連動板と二つの粘着テープを引き出して納める溝と筐体の角の一部にあるカッターナイフとを有し、裏面に糊のついた幅広のテープと裏面に糊のついた幅狭のテープを、前記のり面を介して接着し、幅広のテープののり面のテープ幅方向の一部を残してのり面を機能しなくして、幅広のテープの裏面ののり面に残った一部ののり面を有する粘着テープとして引き出す粘着テープカッター装置において、筐体の底板に一定間隔で立てられた二本の円筒に、それぞれ、裏面に糊のついた幅広のテープ巻と裏面に糊のついた幅狭のテープ巻を装着し、押圧ローラを先端部に有し、後端部に凸部を有する開閉連動板を、筐体の中に立てられた二本の円筒に回動自在に組み込み、裏面に糊のついた幅広のテープと裏面に糊のついた幅狭のテープを引き出して溝に誘導したのち、筐体の蓋を閉め、筐体の蓋を閉めた際に開閉連動板後端部凸部が筐体内に押し込まれることにより、二枚の開閉連動板が回動し、先端部の押圧ローラが、裏面に糊のついた幅広のテープと裏面に糊のついた幅狭のテープを押圧して前記のり面同士を接着させるようにした粘着テープカッター装置。
【請求項２】
前記筐体１、当該筐体を覆う蓋２と筐体１のつなぎ目８およびつなぎ目９がヒンジ構造であり、９０〜１８０度折り曲げ可能であり、筐体の蓋を閉めた際に、筐体の後部高さ方向の壁の壁面１’が、２枚の開閉連動板後端部凸部３−１，３−２を押し込むことにより、二枚の開閉連動板が回動し、先端部の押圧ローラ３−３，３−４が、裏面に糊のついた幅広のテープと裏面に糊のついた幅狭のテープを押圧して前記のり面同士を圧着するようにした粘着テープカッター装置。
【請求項３】
蓋２を閉じたときに、蓋の内側に設けた固定突片１１が円筒１０の内面に設けたストッパで蓋２を固定させる請求項１又は２に記載された粘着テープカッター装置。
【請求項４】
溝１２から出た幅広のテープの裏面ののり面に残った一部ののり面を有する粘着テープを筐体の角に取り付けたカッターナイフでカットすることを特徴とする請求項１〜３のいずれかに記載された粘着テープカッター装置。
【請求項５】
円筒１０の外周に沿って設けられた粘着テープ巻載せ台６，７にドーナッツ型スペーサを挿入自在とし、適宜な幅の幅狭テープに合ったスペーサを用いることにより、幅広のテープの裏面ののり面の機能しなくする幅を変えることを特徴とする請求項１〜４のいずれかに記載された粘着テープカッター装置。
【請求項６】
裏面に糊のついた幅広のテープが、カラー印刷が施された粘着テープＫＡＭＯＩｍｔ（登録商標）である請求項１〜５のいずれかに記載された粘着テープカッター装置。
【請求項７】
裏面に糊のついた幅広のテープが、カラー印刷が施された粘着テープＫＡＭＯＩｍｔ（登録商標）であり、もっぱら付箋として利用される請求項１〜６のいずれかに記載された粘着テープカッター装置。
【発明の詳細な説明】
【技術分野】
【０００１】
本発明は、２枚の異なる幅を有する粘着テープをカッター装置に組み込み、両者ののり面同士を貼り付け、一部露出したのり面を有する粘着必要長さで切り取り、切り取ったテープを、露出したのり面で、付箋、印付け、室内飾りの装飾止め、服飾の簡易貼り付け等々、に用いる片面の一部にのりの塗布された、粘着テープカッター装置に関する。
【０００２】
当該出願人が開発した、表面に印刷物を有する粘着テープＫＡＭＯＩｍｔ（登録商標、以下同じ）は、近年非常に多用されており、その種類の多さ、見た目のきれいさ、使い勝手の簡易さから、非常に人気のある商品の一つで、類似品も非常に多く出回っている。したがって、表面に印刷物を有する粘着テープＫＡＭＯＩｍｔ（登録商標）の使い方についても開発が期待されていたところである。
本発明は、この表面に印刷物を有する粘着テープＫＡＭＯＩｍｔ（登録商標）を付箋代わりに利用するため、粘着テープＫＡＭＯＩｍｔ（登録商標）の裏面ののり面に、粘着テープＫＡＭＯＩｍｔ（登録商標）の幅より、小さな幅の粘着テープののり面を貼り付けて、粘着テープＫＡＭＯＩｍｔ（登録商標）ののり面のテープ幅方向の一部、典型的には、下半分以上若しくは上半分以上ののり面を機能しなくして（連続非粘着面とし）、粘着テープＫＡＭＯＩｍｔ（登録商標）の裏面ののり面に残った一部ののり面を有する粘着テープとし、これを付箋等に用いることができる粘着テープカッター装置を提供する。
【背景技術】
【０００３】
引用文献１には、開封用テープの開封用掴み片を容易に形成するとともに、装置を簡単にかつ小型化することを課題として、幅広粘着テープと幅狭テープとを供給する際に、幅狭テープを幅広粘着テープの幅方向一側縁に沿うように位置合わせして、幅広粘着テープの粘着面に幅狭テープを貼り付けながら引き出すことで、幅広粘着テープの一側縁側を連続非粘着面とし、引き出された貼合テープの始端部を吸引保持して所定寸法毎に切断することで、一端に開封用掴み片を有する開封用テープを形成し、この開封用テープを形成した後又はその前に、包装フィルムの給送過程で一包装長のフィルム送り毎に包装フィルムに対し開封用ノッチを形成し、吸引保持された開封用テープを所定角度回動させて包装フィルムの開封用ノッチ形成箇所に押圧することが、記載されている。
【０００４】
引用文献２には、一度貼った粘着セロハンテープを、再度はがす時に簡単にはがせ且つ、透明なセロハンテープの貼り付けヵ所を分かりやすくする、そんなテープが製作出来るテープカッター容器を提供することを課題として、粘着セロハンテープと否粘着紙テープを同一容器に収め、粘着セロハンテープを切断する際、同時に否粘着紙テープをも切断し、粘着セロハンテープの粘着面端部に所定長の否粘着紙テープが一体化する、端部否粘着紙テープ付き粘着セロハンテープの製作手段を用いることが記載されている。
【先行技術文献】
【特許文献】
【０００５】
【特許文献１】特開平９−６６９１９号公報
【特許文献２】登録実用新案第３１１２２９９号公報
【発明の開示】
【発明が解決しようとする課題】
【０００６】
本発明は、幅広の表面に印刷物を有する粘着テープＫＡＭＯＩｍｔ（登録商標）等の装飾用テープと、透明又は無地の内面貼り付け用テープを、本発明により提供する装置にセットし、蓋を閉めると、押圧ローラにより、両テープが押圧貼着され、貼着され１つになったテープが引き出し部から引き出され、自動的に片方の一部にのり面があるテープが、提供され、簡易な装置で、手軽に、初心者でも扱える装置を提供することである。 
【課題を解決するための手段】
【０００７】
本発明者は、鋭意研究の結果、本発明を見出すに至った。
すなわち、本発明は、蓋体を有する筐体と二つの粘着テープ巻をそれぞれ装着できる二つの円筒体と、円筒体に回動自在に組み込まれた開閉連動板と二つの粘着テープを引き出して納める溝と筐体の角の一部にあるカッターナイフとを有し、裏面に糊のついた幅広のテープと裏面に糊のついた幅狭のテープを、前記のり面を介して接着し、幅広のテープののり面のテープ幅方向の一部を残してのり面を機能しなくして、幅広のテープの裏面ののり面に残った一部ののり面を有する粘着テープとして引き出す粘着テープカッター装置において、筐体の底板に一定間隔で立てられた二本の円筒に、それぞれ、裏面に糊のついた幅広のテープ巻と裏面に糊のついた幅狭のテープ巻を装着し、押圧ローラを先端部に有し、後端部に凸部を有する開閉連動板を、筐体の中に立てられた二本の円筒に回動自在に組み込み、裏面に糊のついた幅広のテープと裏面に糊のついた幅狭のテープを引き出して溝に誘導したのち、筐体の蓋を閉め、筐体の蓋を閉めた際に開閉連動板後端部凸部が筐体内に押し込まれることにより、二枚の開閉連動板が回動し、先端部の押圧ローラが、裏面に糊のついた幅広のテープと裏面に糊のついた幅狭のテープを押圧して前記のり面同士を接着させるようにした粘着テープカッター装置である。
また、本発明の粘着テープカッター装置においては、前記筐体１、当該筐体を覆う蓋２と筐体１のつなぎ目８およびつなぎ目９がヒンジ構造であり、９０〜１８０度折り曲げ可能であり、筐体の蓋を閉めた際に、筐体の後部高さ方向の壁の壁面１’が、２枚の開閉連動板後端部凸部３−１，３−２を押し込むことにより、二枚の開閉連動板が回動し、先端部の押圧ローラ３−１，３−２が、裏面に糊のついた幅広のテープと裏面に糊のついた幅狭のテープを押圧して前記のり面同士を圧着するようにすることができる。
【０００８】
さらに、本発明の粘着テープカッター装置においては、蓋２を閉じたときに、蓋の内側に設けた固定突片１１が円筒１０の内面に設けたストッパで蓋２を固定させることができる。
また、本発明の粘着テープカッター装置においては、溝１２から出た幅広のテープの裏面ののり面に残った一部ののり面を有する粘着テープを筐体の角に取り付けたカッターナイフでカットすることが好ましい。
さらに、本発明の粘着テープカッター装置においては、円筒１０の外周に沿って設けられた粘着テープ巻載せ台６，７にドーナッツ型スペーサを挿入自在とし、適宜な幅の幅狭テープに合ったスペーサを用いることにより、幅広のテープの裏面ののり面の機能しなくする幅を変えることができる。
また、本発明の粘着テープカッター装置においては、裏面に糊のついた幅広のテープを、カラー印刷が施された粘着テープＫＡＭＯＩｍｔ（登録商標）とすることができる。
さらに、本発明の粘着テープカッター装置においては、裏面に糊のついた幅広のテープが、カラー印刷が施された粘着テープＫＡＭＯＩｍｔ（登録商標）であり、もっぱら付箋として利用することができる。
【発明の効果】
【０００９】
本発明の装置は、粘着テープＫＡＭＯＩｍｔ（登録商標）等既存の装飾性の高い幅広のテープと、透明又は無地の比較的安価な幅の狭いテープを、簡単にセットし、両者を自動的に貼着し、簡単に一部ののり面のみが露出した装飾性の高い付箋を作成することができる。
【図面の簡単な説明】
【００１０】
【図１】本発明の正面断面図
【図２】本発明の蓋を開けた平面図
【図３】本発明の蓋を半開きにした側面断面図
【発明を実施するための最良の形態】
【００１１】
第１図は、本発明の正面断面図である。２つのテープの軸心線に沿って、切った断面図である。
１は、筐体で、第１図、第３図、底壁及び正面壁を有しており、筐体１と蓋２はヒンジ８でつながり、９０−１８０度曲げることができる。さらに筐体の蓋に続く筐体の一部の壁１’と蓋２はヒンジ９でつながり、９０−１８０度曲げることができる。筐体の蓋を閉めた際に、筐体の後部高さ方向の壁の壁面１’が、２枚の開閉連動板後端部凸部３−１，３−２を押し込むことにより、二枚の開閉連動板が回動し、先端部の押圧ローラ３−３，３−４が、裏面に糊のついた幅広のテープと裏面に糊のついた幅狭のテープを押圧して前記のり面同士を圧着する。
また、正面壁の中央縦方向に溝（スリット）１２が設けてあり、完成したテープ（幅広のテープののり面の幅方向の上部の一部を残して幅の下半分以上ののり面を機能しなくして、幅広のテープの裏面ののり面に残った一部ののり面を有する粘着テープ）が溝（スリット）１２から引き出される。
側壁は、あっても良いし、なくても良い。特に埃等が入るのを防止したいときは、側壁を設けても良い。
また、カッターナイフ１３を筐体正面壁の角部に設けることが好ましい。
【００１２】
第２図、開閉連動板３を図示しており、第２図は、蓋を開けた時の押圧ローラの状況を図示しており、テープの取り換え時に、蓋を開け、テープを取り換え、押圧部３−３、３−４が開いている（接触していない状態）を示している。
開閉連動板３は、平面図では、紡錘状をしており押圧ローラを先端部に有し、後端部に凸部を有する。筐体の中央部に設置された二つの円筒１０に回動自在に取り付けられており、筐体の蓋を閉めた際に、筐体の後部高さ方向の壁の壁面１’が、２枚の開閉連動板後端部凸部３−１，３−２を押し込むことにより、二枚の開閉連動板が回動し、先端部の押圧ローラ３−３，３−４が、裏面に糊のついた幅広のテープと裏面に糊のついた幅狭のテープを押圧して前記のり面同士を圧着するようになっている。蓋２が、開いた状態では、２枚の開閉連動板後端部凸部３−１，３−２は、押し出された状態で、そのとき先端部の押圧ローラ３−３，３−４は開いた状態であり、幅広の粘着テープ巻５と幅狭の粘着テープ巻４を装着する。テープはのり面を相手側に向くように互いに自由端を向かい合わせ、溝（スリット）１２に外方に突出させる。
【００１３】
第３図は蓋を半開きにした側面断面図を示している。８、９は、ヒンジ構造である。筐体１と蓋２は、ヒンジ８にて、回動自在に連結されている。筐体の蓋に続く筐体の一部１’と筐体１はヒンジ９にて、回動自在に連結されている。ヒンジ９は通常のものでよいが、ばね付きのものでもよい。開閉が容易なものであればよい。
筐体の蓋２を閉めた際に、筐体の後部高さ方向の壁の壁面１’が、２枚の開閉連動板後端部凸部３−１，３−２を押し込むことにより、二枚の開閉連動板が回動し、先端部の押圧ローラ３−３，３−４が、裏面に糊のついた幅広のテープと裏面に糊のついた幅狭のテープを押圧して前記のり面同士を圧着するようにしている。
なお、幅狭テープでは、粘着力が非常に弱いものでも良く、さらに、粘着剤が必ずしも裏面全体に付着していないものでも、幅広テープの粘着面を機能させなくするものであれば本発明の目的は達成することができる。
【００１４】
筐体に設けられた円筒１０は、中空の円筒状をしており、蓋２に設けられた固定突片１１が、蓋が閉められたとき円筒１０の内面に設けられたストッパに係合して、筐体１と蓋２を安定に保つ。このようにすると、テープを強く引っ張っても、テープで軸が変形せず、しっかりと装置に固定することができる。
【００１５】
テープ巻載せ台６および７には、スペーサを設置して、互いの接着幅を調整することができる。
スペーサは、片方又は両方に設けることができ、着脱自在とすることが好ましい。
【００１６】
開閉連動板の作動状況を示す。
蓋２が開かれた状態のとき、２枚の開閉連動板後端部凸部３−１，３−２は、押し出された状態で、そのとき先端部の押圧ローラ３−３，３−４は手で開くことができる状態であり、手で開いてから、作業者は、幅広の粘着テープ巻５と幅狭の粘着テープ巻４を装着し、双方のテープを引き出して、押圧ローラ３−３，３−４の間に導き、テープはのり面を相手側に向くように互いに自由端を向かい合わせ、蓋２を閉めると押圧ローラが押圧するので、作業者はテープを引き出して、溝（スリット）１２から外方に突出させる。また、バネ等を作用させて、蓋２が開かれた時、自動的に押圧ローラ３−３，３−４が開くようにすることもできる。
【００１７】
次いで、蓋２を閉めると、筐体の後部高さ方向の壁の壁面１’が、２枚の開閉連動板後端部凸部３−１，３−２を押し込むことにより、二枚の開閉連動板が回動し、先端部の押圧ローラ３−３，３−４が、裏面に糊のついた幅広のテープと裏面に糊のついた幅狭のテープを押圧して前記のり面同士を圧着する。同時に蓋に取り付けられた固定突片１１が所定位置のストッパ（図示せず）と係合して粘着テープカッター装置を安定に保つ。作業者は、必要な長さ完成テープを引き出し、カッターナイフ１３で完成テープを切断する。切断後、完成テープは溝１２の出口とカッターナイフ１３との間で保持され、次回の引出用のテープ端として保持される。
【産業上の利用可能性】
【００１８】
本発明は、幅広の粘着テープと幅狭のテープ若しくは粘着テープを貼り合わせるテープであり、小型で、簡易に貼り合わせることができ、付箋や、飾り付けの際に用いることができ、自由自在の長さ、大きさを簡易簡便に売ることができ、事務所やパーティに大変有用である。また、本発明のカッターで作成される貼り合わせるテープは、粘着剤が一部しか機能していないので、当該テープを塗装用のマスキングテープに利用すれば、粘着剤が機能していないところは、塗料の微粒子が付着して、塗装におけるボカシ効果を得ることもでき、ボカシテープとしても利用することができる。
【符号の説明】
【００１９】
１・・・筐体
１’ ・・・筐体の蓋に続く筐体の一部
２・・・蓋
３・・・開閉連動板
３−１，３−２・・・開閉連動板の凸部
３−３、３−４・・・押圧ローラの押圧部
４・・・一方のテープ巻
５・・・他方のテープ巻
６，７・・・テープ巻載せ台
８・・・ヒンジ
９・・・ヒンジ
１０・・・円筒
１１・・・固定突片
１２・・・溝（スリット）
１３・・・カッターナイフ
【図１】
2018118816.tif 000003
【図２】
2018118816.tif 000004
【図３】
2018118816.tif 000005